(57)【要約】【課題】機体の側部に畦際から予備苗を連続的に補給するための折畳み式の予備苗載せ台を備える乗用型田植機等の移植機において、前記備苗載せ台の折畳み構造を軽量且つコンパクトに構成すると共に、当該移植機のステップへの乗降の容易化を図る。【解決手段】予備苗載せ台２を固定苗台２ｍと、固定苗台２ｍ前方の第一苗台２ｆと、固定苗台２ｍ後方の第二苗台２ｂにより構成すると共に、第一苗台２ｆを走行機体５の前端から突出させ、且つ第二苗台２ｂを植付部１６の苗載せ台１７近傍まで延出させた展開姿勢と、第一苗台２ｆと第二苗台２ｂを固定苗台２ｍ上に折畳んだ格納姿勢と、第一苗台２ｆのみを固定苗台２ｍ上に折畳んだ作業姿勢とに姿勢変更可能になし、前記作業姿勢状態において、第一苗台２ｆとその下方の固定苗台２ｍに予備苗Ｎを載置できるように構成した。【選択図】図６
2005176680.tif 000002
【特許請求の範囲】
【請求項１】
走行機体（５）の後部に植付部（１６）を連結し、走行機体（５）の側部に畦際から予備苗（Ｎ）を補給する折畳み式の予備苗載せ台（２）を備える移植機であって、前記予備苗載せ台（２）を固定苗台（２ｍ）と、固定苗台（２ｍ）前方の第一苗台（２ｆ）と、固定苗台（２ｍ）後方の第二苗台（２ｂ）により構成すると共に、第一苗台（２ｆ）を走行機体（５）の前端から突出させ、且つ第二苗台（２ｂ）を植付部（１６）の苗載せ台（１７）近傍まで延出させた展開姿勢と、第一苗台（２ｆ）と第二苗台（２ｂ）を固定苗台（２ｍ）上に折畳んだ格納姿勢と、第一苗台（２ｆ）のみを固定苗台（２ｍ）上に折畳んだ作業姿勢とに姿勢変更可能になし、前記作業姿勢状態において、第一苗台（２ｆ）とその下方の固定苗台（２ｍ）に予備苗（Ｎ）を載置できるように構成したことを特徴とする移植機。
【請求項２】
前記作業姿勢状態において、折畳んだ第一苗台（２ｆ）の後端部を、第二苗台（２ｂ）
の後端部よりも予備苗（Ｎ）一枚分以上前方に位置させたことを特徴とする請求項１記載の移植機。
【請求項３】
前記作業姿勢状態における第一苗台（２ｆ）と固定苗台（２ｍ）との間の空間（Ｓ）に
、第二苗台（２ｂ）を折畳んで収容して格納姿勢としたことを特徴とする請求項１、または請求項２記載の移植機。
【発明の詳細な説明】
【技術分野】
【０００１】
本発明は、走行機体の側部に、畦際から予備苗を連続的に補給するための予備苗載せ台を備える乗用型田植機等の移植機に関する。
【背景技術】
【０００２】
従来、予備苗（マット苗）を乗用型田植機に補給する予備苗載せ台の形態としては、左右枠の間に転動ローラを多数設けたローラコンベアを機体の側部に配設し、前記転動ローラ上を予備苗が育苗されている苗箱を滑らせて、畦際から機体側に予備苗を連続的に補給できるように構成すると共に、ローラコンベアの前後中間部を折畳んで前側のコンベアを後側のコンベアの上に折重ねて格納する際、後側のコンベア上に載置されている予備苗が前側のコンベアと圧接しないように、両コンベアの折重ね間隔を所定の間隔に設定したものが知られている（例えば、特許文献１参照。）。
【特許文献１】特開平６−２７６８２１号公報（第４−５頁、図１２−１３）
【発明の開示】
【発明が解決しようとする課題】
【０００３】
しかし、上述した従来の予備苗載せ台では、ローラコンベアの前後中間部を折畳んで前側のコンベアを後側のコンベアの上に折重ねた格納状態にすると、オペレータが乗用型田植機のステップへ乗降する際に常用する、このステップよりも一段低い位置で機体側方側に設けられた補助ステップからの乗降が、折重ねられた両ローラコンベアに遮られてできなくなると共に、折重ねられた両ローラコンベアの間に収容されている予備苗を取り出すことが困難となって、植付作業時の作業性が著しく低下するといった欠点を有していた。
【０００４】
また、ローラコンベアの前後中間部を折畳んで前側のコンベアを後側のコンベアの上に折重ねる作業は、人力による作業では作業負荷が極めて大きくなることから、前側のコンベアを折畳むために油圧アクチュエータ等を専用に設けなければならず、コストの観点から低価格の乗用型田植機に採用することができなかった。
【課題を解決するための手段】
【０００５】
本発明は、上記課題を解決することを目的として創案したものであって、走行機体の後部に植付部を連結し、走行機体の側部に畦際から予備苗を補給する折畳み式の予備苗載せ台を備える移植機であって、前記予備苗載せ台を固定苗台と、固定苗台前方の第一苗台と
、固定苗台後方の第二苗台により構成すると共に、第一苗台を走行機体の前端から突出させ、且つ第二苗台を植付部の苗載せ台近傍まで延出させた展開姿勢と、第一苗台と第二苗台を固定苗台上に折畳んだ格納姿勢と、第一苗台のみを固定苗台上に折畳んだ作業姿勢とに姿勢変更可能になし、前記作業姿勢状態において、第一苗台とその下方の固定苗台に予備苗を載置できるように構成したことを第1の特徴としている。
そして、前記作業姿勢状態において、折畳んだ第一苗台の後端部を、第二苗台の後端部
よりも予備苗一枚分以上前方に位置させたことを第２の特徴としている。
そして、前記作業姿勢状態における第一苗台と固定苗台との間の空間に、第二苗台を折
畳んで収容して格納姿勢としたことを第３の特徴としている。
【発明の効果】
【０００６】
請求項１の発明によれば、予備苗載せ台を固定苗台と、固定苗台前方の第一苗台と、固定苗台後方の第二苗台により構成すると共に、第一苗台を走行機体の前端から突出させ、且つ第二苗台を植付部の苗載せ台近傍まで延出させた展開姿勢と、第一苗台と第二苗台を固定苗台上に折畳んだ格納姿勢とに姿勢変更可能に構成することによって、当該格納姿勢状態においては、ステップへのスムーズな乗降が可能となって作業性が向上する。更に、第一苗台のみを固定苗台上に折畳んだ作業（植付作業）姿勢状態とした時、第一苗台とその下方の固定苗台に予備苗を載置できるように構成したことによって、第一苗台を折畳んで機体の前端からの突出量を少なくした状態で行う植付作業時においても、予備苗載せ台の全長を有効に利用して当該予備苗載せ台の展開姿勢状態と同量の予備苗を載置することができる。
【０００７】
また、請求項２の発明によれば、前記作業姿勢状態において、折畳んだ第一苗台の後端
部を、第二苗台の後端部よりも予備苗一枚分以上前方に位置させたことによって、第二苗台及び固定苗台上に載置されている予備苗を順序よく容易に取り出すことができるので、当該予備苗を植付部の苗載せ台へ補給する作業が効率的に行えるようになる。
【０００８】
また、請求項３の発明によれば、前記作業姿勢状態における第一苗台と固定苗台との間
の空間に、第二苗台を折畳んで収容して格納姿勢としたことによって、前記第一苗台と固定苗台との間の空間を有効利用して予備苗載せ台の折畳み構造を軽量且つコンパクト化することができる。
【発明を実施するための最良の形態】
【０００９】
次に、本発明の実施の形態について、図面に基づいて説明する。図１及び図２は、乗用型田植機（移植機）１の機体の左右側部に配設される折畳み式の予備苗載せ台２，２の展開姿勢状態を示す側面図及び平面図であり、予備苗載せ台２，２が配設される乗用型田植機１は、前輪３及び後輪４に支持される走行機体５を有しており、走行機体５の前側にはフロントステップ６を載置し、このフロントステップ６の中央にボンネット７で覆われたエンジン（不図示）を搭載すると共に、ボンネット７の後方にはステアリングハンドル８や主変速レバー９、及び運転操作パネル１０等を備えた操縦部１１、該操縦部１１の床面を形成するステップ１２、運転席１３を支持する機体カバー１４等を設けている。尚、機体カバー１４は、運転席１３後方の左右両側にステップ１２より一段高く形成した平坦な苗補給用ステップ１４ａ，１４ａを設けている。
【００１０】
そして、走行機体５の後方には、昇降リンク機構１５を介して作業機である植付部１６を昇降自在に連結している。植付部１６は、前方に傾斜して設けられた苗載せ台１７と、苗載せ台１７から苗を掻取って植え付ける複数のプランタ１８を備え、このプランタ１８の下方には植付け田面を整地するフロート１９等が設けられているが、これらの基本的な構成は何れも従来通りであり詳細な説明を省略する。
【００１１】
フロントステップ６の左右両側に配設されて畦際から予備苗Ｎ（図３参照）を補給する折畳み式の予備苗載せ台２，２は、走行機体５から外側方に延出されるブラケット２１ａ
，２１ｂに取り付けた固定苗台２ｍと、固定苗台２ｍ前方の第一苗台２ｆと、固定苗台２ｍ後方の第二苗台２ｂにより構成されており、当該予備苗載せ台２，２が展開姿勢状態にある時は、その全体が前高後低の傾斜姿勢になっている。この時、予備苗載せ台２，２を構成する第一苗台２ｆは走行機体５の前端から大きく突出すると共に、第二苗台２ｂは、植付部１６の苗載せ台１７の近傍に位置する機体カバー１４の平坦な苗補給用ステップ１４ａ，１４ａ上まで延出されるようになっている。
【００１２】
また、上述の如く展開姿勢状態にある予備苗載せ台２，２は、全体としては、軽量部材であるアルミ合金製の左右の外枠間に所定の間隔で転動ローラ２１・・・を複数取り付けたローラコンベアの形態を採用しており、畦際から予備苗載せ台２，２に予備苗を補給する際は、先ず走行機体５の前端から大きく突出する予備苗載せ台２，２の第一苗台２ｆを畦際に進入させ、しかる後に図３に示すように、方形状の苗箱（不図示）に育苗されている予備苗（マット苗）Ｎを苗スクレーパ２５で掬い取った状態で、前記転動ローラ・・・上を図中の矢印方向（機体後方）に順次滑らせることによって、予備苗Ｎを畦際から連続的に予備苗載せ台２，２上に補給することができる構成になっている。
【００１３】
この時、図４に示すように、苗スクレーパ２５の把持部２５ａの後端面Ｅが予備苗Ｎの床土Ｇと接当するように、把持部２５ａを上方に向けて凸状に形成しておけば、予備苗載せ台２，２上に載置した苗スクレーパ２５の把持部２５ａと、引き続いて補給される苗スクレーパ２５の先端部２５ｂ側の苗茎部が直接接当することがないので、当該予備苗補給時に発生する苗茎部の損傷を防止することができる。尚、図中に示す予備苗載せ台２，２を構成する第二苗台２ｂの後端には断面が逆Ｌ字状のストッパープレート２６が横設してあり、このストッパープレート２６によって、前高後低の傾斜姿勢に構成されている予備苗載せ台２，２上に載置した予備苗Ｎが落下することを防いでいる。
【００１４】
また、予備苗載せ台２，２の中間部を構成する固定苗台２ｍの下方には、図示しない施肥装置にペースト状または液状の肥料を供給するための肥料タンク２７Ｌ，２７Ｒが設置されており、この肥料タンク２７Ｌ，２７Ｒの上部に設けられた肥料補給口（蓋）Ｂが、固定苗台２ｍに塞がれた状態になっている。そこで、肥料タンク２７Ｌ，２７Ｒの肥料補給口（蓋）Ｂの上部には、図５に示すように、部分的に開閉可能なローラコンベア手段２２を設けている。即ち、前記ローラコンベア手段２２は、固定苗台２ｍを構成する左右の外枠２８，２８の内側に嵌装する内枠２８ａ，２８ａに、３個の転動ローラ２１を所定の間隔で取り付けると共に、Ｐ１を回動支点として図中矢印方向に回動可能に構成している
。したがって、肥料タンク２７Ｌ，２７Ｒに肥料を補充する際は、ローラコンベア手段２２を図中の二点鎖線で示す苗補給姿勢から実線で示す状態まで回動させると、肥料タンク２７Ｌ，２７Ｒの肥料補給口（蓋）Ｂ上部が開放されて容易に肥料の補充が行えるようになる。
【００１５】
また、第一苗台２ｆの後端に突出状に設けられた左右のアーム３０，３０は、固定苗台２ｍの前端に上方に向け突出状に形成した左右のアーム３１，３１に、Ｐ２を回動支点として後方に向けて回動可能に支持されている。そして、図６及び図７に示すように、第一苗台２ｆのみを図中矢印に示す如く後方に回動させて折畳んだ状態（植付作業姿勢状態）で、前記アーム３１，３１の上部に固着したストッパーピン３２，３２と左右のアーム３０，３０が接当すると、当該第一苗台２ｆの下方の固定苗台２ｍ上に予備苗Ｎを載置可能
とする空間Ｓが確保されると共に、第一苗台２ｆの上面側Ｕにも予備苗Ｎを載置することができる。即ち、第一苗台２ｆのみを折畳んだ植付作業姿勢状態とした時、第一苗台２ｆの上面側Ｕとその下方の固定苗台２ｍ上に予備苗Ｎを載置可能に構成したので、第一苗台２ｆのみを折畳んで走行機体５の前端からの予備苗載せ台２，２の突出量を少なくした状態で行う植付作業時においても、予備苗載せ台２，２の全長を有効に利用して、当該予備苗載せ台２，２の展開姿勢状態と同量の予備苗Ｎを載置することができる構成になっている。
【００１６】
尚、上述の如く第一苗台２ｆの後端に突出状に設けた左右のアーム３０，３０と、固定苗台２ｍの前端に上方に向け突出状に形成した左右のアーム３１，３１による第一苗台２ｆの折畳み形態に換えて平行リンク機構を採用することも可能である。更に、第一苗台２ｆの後端には、第二苗台２ｂの後端に横設したストッパープレート２６を同様に設けると共に、その前端側には棒状のストッパー３３を横設し、また固定苗台２ｍの前端には、常時スプリング３４によりＰ３を支点として上方へ回動付勢されるストッパーアーム３５を設けることによって、図６及び図７に示す如く、予備苗載せ台２，２上に載置された予備苗Ｎ・・・が植付作業時の機体振動に伴って落下することがないように落下防止手段を構成している。
【００１７】
尚、上述の如く第一苗台２ｆのみを折畳んで植付作業姿勢状態とした時、第一苗台２ｆの後端部が、第二苗台２ｂの後端部よりも予備苗Ｎ一枚分以上前方に位置する構成になっており、それによって第二苗台２ｂ及び固定苗台２ｍ上に載置されている予備苗Ｎを順序よく容易に取り出すことができるので、当該予備苗Ｎを植付部の苗載せ台へ補給する作業が効率的に行えるようになる。
【００１８】
一方、第二苗台２ｂは、固定苗台２ｍの後端、即ち運転操作パネル１０の側方位置のＰ４を回動支点として前方に向けて回動可能に支持されている。更に詳しくは、図８に示すように、第一苗台２ｆを後方に回動させて折畳んだ状態、即ち第一苗台２ｆを植付作業姿勢状態とした時に形成される第一苗台２ｆとその下方の固定苗台２ｍとの空間Ｓに、第二苗台２ｂを折畳んで収容することによって、予備苗載せ台２，２を格納姿勢とすることができるようになっており、前記空間Ｓを有効利用して予備苗載せ台２，２の折畳み構造を軽量且つコンパクト化することができる。また第一苗台２ｆと第二苗台２ｂを折畳むための油圧アクチュエータ等を設ける必要がなく、低コストの予備苗載せ台２，２を構成することができるようになる。
【図面の簡単な説明】
【００１９】
【図１】本発明を適用した乗用型田植機（移植機）の全体側面図。
【図２】同上全体平面図。
【図３】展開姿勢状態の予備苗載せ台に予備苗を載置した状態を示す乗用型田植機の全体側面図。
【図４】苗スクレーパの把持部形状、及び予備苗載せ台後端のストッパープレートを示す要部側断面図。
【図５】予備苗載せ台の前後方向中間部に設けた開閉可能なローラコンベア手段を示す側断面図。
【図６】展開姿勢状態の予備苗載せ台の前部を折畳んで予備苗を載置した状態を示す乗用型田植機の全体側面図。
【図７】展開姿勢状態の予備苗載せ台の前部を折畳んで予備苗を載置した状態を示す要部側断面図。
【図８】格納姿勢状態の予備苗載せ台を示す乗用型田植機の全体側面図。
【符号の説明】
【００２０】
２    予備苗載せ台
２ｆ  第一苗台
２ｂ  第二苗台
２ｍ  固定苗台
５    走行機体
１６  植付部
１７  苗載せ台
Ｎ    予備苗
Ｓ    空間
Ｕ    第一苗台の上面側（作業姿勢状態）
【図１】
2005176680.tif 000003
【図２】
2005176680.tif 000004
【図３】
2005176680.tif 000005
【図４】
2005176680.tif 000006
【図５】
2005176680.tif 000007
【図６】
2005176680.tif 000008
【図７】
2005176680.tif 000009
【図８】
2005176680.tif 000010